(57)【特許請求の範囲】
【請求項１】
選別後の二番物の枝梗除去処理を行なうコンバインの二番処理装置１０であって、該二番処理装置１０は、ケース４５内に、扱胴と直交する二番処理胴１１を回転駆動可能に軸支してなる構成とし、二番コンベア２３の他端部より、二番還元コンベア１４を駆動し、該二番還元コンベア１４の他端は二番処理装置１０へ連通されるとともに、二番還元コンベア１４のコンベア軸１４ａの動力を、変速機構１５４を介して二番処理装置１０へ伝達する構成とし、該変速機構１５４は、駆動入力部１５５と駆動出力部１５６とから構成し、両部は回転軸に左右一対の割プーリーを軸支する構成とすると共に、駆動ベルト１５７を巻回するベルト式無段変速装置により構成し、該二番処理胴１１の回転数を変更可能に構成したことを特徴とするコンバインの二番処理装置。
【請求項２】
請求項１記載のコンバインの二番処理装置において、前記変速機構１５４による回転数は、前記ケース４５内に投入される二番物の量に応じて制御すべく構成したことを特徴とするコンバインの二番処理装置。
【請求項３】
請求項１記載のコンバインの二番処理装置において、前記二番処理胴１１は、その始端側に投入された二番物を攪拌するスクレーパー７４を具備したことを特徴とするコンバインの二番処理装置。
【請求項４】
請求項１記載のコンバインの二番処理装置において、前記二番処理胴１１の終端側に、該二番処理胴１１と一体的に回転する拡散コンベアであるスパイラ８１を具備したことを特徴とするコンバインの二番処理装置。
【発明の詳細な説明】
【０００１】
【発明の属する技術分野】
本発明は、コンバインの選別装置により選別した二番物の枝梗除去処理を行なう二番処理装置に関する。
【０００２】
【従来の技術】
従来コンバインにおいては、揺動選別装置より選別した後の二番物を、二番コンベア、二番還元コンベアを介して二番処理装置へ送り、該二番処理装置により枝梗等を取り除いた後に、再び選別装置へ戻す二番物還元サイクルが採用されている。この二番還元サイクルは、二番物に付着した枝梗を適切に除去することにより、再度の選別により、品質のよい籾を回収することを目的とするものである。
【０００３】
このような二番還元サイクルにおいて、二番処理装置では、回転軸に複数の枝梗除去羽根を備える二番処理胴を、筒状のケース内で回転駆動させることにより、枝梗除去羽根によって籾に付着した枝梗を除去するものであり、この枝梗の除去が適切に行なわれるか否かは、二番処理装置に投入される二番物の量、即ち、二番還元量や、二番処理胴の回転速度、更には、ケース内を二番処理胴の軸方向に移動する二番物の移動速度が関与することになる。
従来の二番処理装置においては、上述の二番処理胴の回転速度は一定であり、また、二番物の移動速度についての調整機構を備えたものは公知技術としては見当たらない。
【０００４】
また、ケースにおいて投入口が構成される側、即ち、二番処理胴の始端側においては、排出口側と比較して、二番物が滞留しやすいという現象が発生している。これは、二番物は、絶えず投入口から供給されるため、当然発生し得る現象であるといえる。
【０００５】
一方、揺動選別装置の選別板上においては、揺動によって、穀粒が選別板の一方に偏る傾向があり、揺動選別装置を正面視において左右一側に傾ける等して、選別板上での偏りを防止する措置が取られている。この偏りは、チャフシーブからの一番物の漏下不良を誘発し、選別ロスに伴う穀粒量の減少といった不具合を生じさせる。
また、二番処理装置の二番物の排出口が、揺動選別装置の左右中心線上（正面視）に配置されない場合においては、排出された二番物は、排出口の下側で留まってしまい、処理後の二番物が広範囲に拡散されないという傾向があり、二番処理装置とは別体の拡散装置を設置することも考えられる。
【０００６】
【発明が解決しようとする課題】
しかし、上述の二番還元サイクルにおける二番還元量は、扱胴における脱粒量、二番コンベアの回収量、更には、刈取る稲や麦の穀粒の状態により変動するものである。
このような二番還元量の変動に対し、上述したごとく、二番処理胴の回転数を一定とし、また、ケース内での二番物の移動速度が調整できない構成では、多量の二番物に対しては、全体的に枝梗除去処理を施すことができず、未処理のままで選別装置へ拡散されてしまうという不具合が生じる一方、少量の二番物に対しては、枝梗処理羽根が二番物に作用しすぎてしまい、籾までも傷めてしまうという不具合が生じることになる。
このことから、二番還元量に応じて、二番処理胴の回転速度、及び、ケース内の送り速度が調整される機構が必要となる。
【０００７】
また、ケース内における二番処理胴の始端側での二番物の滞留についても、二番物を均等に枝梗除去すべく、滞留を防止する手段を講じる必要がある。
【０００８】
また、揺動選別装置を傾斜させるのは、組立精度・取付精度により、所定の角度に設置すると言ったことが難しく、長期間の揺動運動により、角度が変更してしまうという問題も生じうる。一方、新たに、別体の拡散装置を構成することは、設置スペースの問題や、装置構成の複雑化といったデメリットをもたらすことにもなる。
【０００９】
【課題を解決するための手段】
本発明の解決しようとする課題は以上のごとくであり、次に該課題を解決する為の手段を説明する。
【００１０】
請求項１においては、選別後の二番物の枝梗除去処理を行なうコンバインの二番処理装置１０であって、該二番処理装置１０は、ケース４５内に、扱胴と直交する二番処理胴１１を回転駆動可能に軸支してなる構成とし、二番コンベア２３の他端部より、二番還元コンベア１４を駆動し、該二番還元コンベア１４の他端は二番処理装置１０へ連通されるとともに、二番還元コンベア１４のコンベア軸１４ａの動力を、変速機構１５４を介して二番処理装置１０へ伝達する構成とし、該変速機構１５４は、駆動入力部１５５と駆動出力部１５６とから構成し、両部は回転軸に左右一対の割プーリーを軸支する構成とすると共に、駆動ベルト１５７を巻回するベルト式無段変速装置により構成し、該二番処理胴１１の回転数を変更可能に構成したものである。
【００１１】
請求項２においては、請求項１記載のコンバインの二番処理装置において、前記変速機構１５４による回転数は、前記ケース４５内に投入される二番物の量に応じて制御すべく構成したものである。
【００１２】
請求項３においては、請求項１記載のコンバインの二番処理装置において、前記二番処理胴１１は、その始端側に投入された二番物を攪拌するスクレーパー７４を具備したものである。
【００１３】
請求項４においては、請求項１記載のコンバインの二番処理装置において、前記二番処理胴１１の終端側に、該二番処理胴１１と一体的に回転する拡散コンベアであるスパイラ８１を具備したものである。
【００１４】
【発明の実施の形態】
次に、本発明の実施の形態を、図面に基づいて説明する。
図１はコンバインの全体側面図、図２は同じく平面図、図３は選別装置の構成を示す側面図、図４は選別装置の動力伝達構成の一実施例を示すスケルトン図、図５は二番処理装置の構成を示す正面図、図６は同じく内部構成を示す正面図、図７は同じく右側面図、図８は拡散コンベアを備えた構成の二番処理装置の正面図、図９は同じく拡散コンベアを備える構成の二番処理装置の他の実施例を示す正面図、図１０はスクレーパーの構成を示す斜視図、図１１は変速機構の構成を示す正面断面図、図１２は制御機器のブロック図、図１３は制御に関わる装置の構成図である。
【００１５】
また、以下の説明中において、前後方向は、機体進行方向及び反機体進行方向を基準とし、左右方向は、機体進行方向における左右方向を基準とする。さらに、上下方向は、機体の上下方向を基準とする。
【００１６】
まず、図１及び図２を用いて、コンバインの全体構成から説明する。
本実施例におけるコンバインでは、機体フレーム２９に架設したトラックフレーム２７にクローラ式走行装置２を装設し、該機体フレーム２９上方に脱穀装置９を配設している。該脱穀装置９では、フィードチェーン７を機体進行方向左側に張架し、扱胴２０及び送塵口二番処理胴２１（図２）を内蔵している。
そして、油圧シリンダ３８（図１）によって刈取フレーム１２を介して昇降できるように構成された刈取装置８では、前端に分草板３を突出して穀稈を分草し、その後部に引起しケース２６を立設して該引起しケース２６より突出したタイン２４の回転により穀稈を引き起こして、分草板３後部に配設した刈刃５にて株元を刈り取り、刈り取られた穀稈を、上部搬送装置、下部搬送装置、縦搬送装置６等の穀稈搬送機構２８にて後部へ搬送し、フィードチェーン７に受け継ぐようにしている。前記脱穀装置９後方に位置する排藁処理部１６には、上部に排藁チェン６７が、下部に排藁カッター装置１７が配置される。
また、選別後の精粒は後述する一番コンベア２２より揚穀コンベア４６を介してグレンタンク１３に搬入し、排出オーガ１５によって前記グレンタンク１３内の穀粒を機外に排出できるようにしている。そして、グレンタンク１３の前方に位置する運転部１９内には、運転操作部１８及び運転席４（図２）を備え、エンジン３２（図２）を運転部１９下方に設けて、該エンジンから動力を取り出して連続的に穀稈を刈取って脱穀するように構成している。
【００１７】
次に、選別装置１及び脱穀装置９について説明する。
図３に示すごとく、脱穀装置９に形成された扱室３４に機体の前後方向に軸架する扱胴２０を内設させ、扱口３５より扱室３４に穀稈を挿入するように構成している。前記扱室３４下方にはクリンプ網３１を張架し、また、該クリンプ網３１の下方には、揺動選別装置３６をその前端を臨ませて前後方向揺動自在に支持させている。前記クリンプ網３１の下方に揺動選別装置３６の前・後フィード板５２・５３を上下二段に配設し、フルイ線５４を前フィード板５２の後端側に配している。また、チャフシーブ５５を後フィード板５３後端後方に連設し、該チャフシーブ５５の下方にグレンシーブ４９を配設している。
また、チャフシーブ５５後部と揺動本体５０後部との間には、固定チャフ部５７が配設されている。また、正面視において、扱胴２０の右側には、送塵口二番処理胴２１を並設し、側面視において、その前部を扱胴２０の後部にラップさせ、扱胴２０で処理しきれなかった穂切粒・枝梗付着等を処理し、送塵口二番処理胴２１の下方に配するクリンプ網２１ａより脱粒された穀粒を固定チャフ部５７上に落下させるようにしている。また、揺動本体５０後部下面は、クランク軸等の揺動駆動機構４８によって揺動駆動可能に連結されている。
【００１８】
また、両フィード板５２・５３の上下間に選別風を送給するプレファンである送塵ファン４７と、チャフシーブ５５とグレンシーブ４９間及びグレンシーブ４９下方に選別風を送給するメインの送風装置である唐箕２５からの送風により、クリンプ網３１・２１ａを漏下した穀粒の拡散を行うように構成している。そして、「穀粒」と「穀粒藁」とが比重選別と風選別により「一番物」「二番物」「藁屑」等に選別される。
【００１９】
前記グレンシーブ４９下方に横設される一番コンベア２２は、揚穀コンベア４６に連通して前記グレンタンク１３に穀粒を取り出す構成としている。また、一番コンベア２２の後方には、二番コンベア２３が横設され、該二番コンベア２３に回収される二番物を、二番還元コンベア１４に搬送する。そして、該二番還元コンベア１４により、二番物は、該二番還元コンベア１４の前方側端部に連結した二番処理装置１０まで搬送され、該二番処理装置１０内の二番処理胴により枝梗を除去された後、揺動本体５０の選別開始部に再投入される。
【００２０】
また、前記揺動選別装置３６の後端上方には、吸引ファン３０が配設され、該吸引ファン３０により、藁屑を吸引し、機体後部より排出するようにしている。
【００２１】
このような構成において、前記フィードチェーン７（図１）により挟持された穀稈は、後方へ搬送されながら前記脱穀装置９の扱室３４に備えられた扱胴２０の回転によって脱粒され、排藁等は後方の排藁カッター装置１７に送られて切断後に後方より圃場に放出される。
一方、クリンプ網３１を漏下した穀粒・藁屑等は、揺動選別装置３６上に落ち、そこで揺動選別されながら後方へ送られる。そして、この穀粒・藁屑等は、前記チャフシーブ５５やグレンシーブ４９等を通過して流穀板等にガイドされながら一番樋上に落下し、その落下途中において、送塵ファン４７及び唐箕２５から供給された選別風によって風選別が施される。
【００２２】
次に、図４に示すスケルトン図を用いて、選別装置の動力伝達構成について説明する。
コンバインのエンジン３２の左右方向に駆動軸６８を突出し、該駆動軸６８の一端（左側）をギアケース５９に入力して、該ギアケース５９より、クローラ式走行装置２（走行ミッションケース）・引起し・刈取装置８・選別装置１・脱穀装置９（扱胴２０・送塵口二番処理胴２１）へ駆動を分配する構成としている。
【００２３】
一方、前記駆動軸６８の他端（右側）より、プーリーやベルトや連動軸やベベルギアを介して排出コンベア９３に動力を伝達し、更に、縦コンベア９４、排出オーガ１５を駆動する構成として、グレンタンク１３（図１）内に貯留した穀粒を排出可能としている。
【００２４】
また、選別装置１への駆動伝達は、前記ギアケース５９より側方に駆動軸６９を突出し、該駆動軸６９の端部のベベルギア６６を、機体の左側部に配する動力伝達部に入力して、プーリー、ベルトを介し、唐箕２５・一番コンベア２２といった順に動力を伝達する構成としている。
【００２５】
また、前記一番コンベア２２のコンベア軸９６の左端よりプーリー・ベルトを介して、二番コンベア２３・揺動駆動機構４８・吸引ファン３０・排藁カッター装置１７へ駆動を伝達する構成としている。また、前記一番コンベア２２の他側にベベルギアを介して揚穀コンベア４６を駆動しており、一番コンベア２２によって搬送された穀粒が揚穀コンベア４６を介して前記グレンタンク１３（図１）に搬送される。
また、前記二番コンベア２３の他端部より、ベベルギアを介して二番還元コンベア１４を駆動する。この二番還元コンベア１４の他端は二番処理装置１０へ連通されるとともに、コンベア軸の動力を変速機構１５４を介して二番処理装置１０へ伝達する構成としている。この二番処理装置１０への動力の伝達構成の詳細については後述する。
【００２６】
次に、二番処理装置１０について説明する。
図５乃至図７に示すごとく、二番処理装置１０は、筒状のケース４５内に、扱胴と直交する駆動軸１６０（図６）より半径方向に突設したステー４３・４３・・に枝梗処理羽根４４ａ・４４ｂを取り付けた二番処理胴１１を回転駆動可能に軸支してなる構成とするのである。該二番処理装置１０は脱穀装置の側壁から揺動選別装置の前上方であって、扱胴の受網（クリンプ網）下方まで左右側方に延出して配設されている。
【００２７】
ケース４５は、正面視左上方に投入口４１を開口し、二番還元コンベア１４の終端と連通して、二番還元コンベア１４により搬送される二番物が投入される構成としている。また、投入口４１の反対側、即ち、正面視右下方には排出口４２を開口して、枝梗を除去した二番物を再び揺動選別装置に落下させることで、再度の選別を行なうようにしている。
また、該ケース４５の内側面には、板状のツースバー５１・５１・・・（図６）が突設され、第一枝梗処理羽根４４ａ・４４ａとともに、その板面で二番物を擦るようにして、籾に付着した枝梗の除去が行なわれる。
【００２８】
また、ケース４５には、側面視略「く」字形の立設面６３を構成する複数の制御弁６３・６３・６３（図７）が枢支されている。この制御弁６３・６３・６３は、立設面６３ａを駆動軸１６０の軸方向に対して直交させるとともに、その立設面６３ａの角度を変化自在に構成することにより、ケース４５内に二番物を搬送する流れを発生させるものである。各制御弁６３・６３・６３は、その下部においてケース４５と回動自在（回動支点７６）に枢結されるとともに（図５）、上下方向中途部よりケース４５外部へ作用軸７５を突設させることで、作用軸７５の操作により、制御弁６３・６３・６３を回動支点７６を中心としての角度調整が可能となっている。
この作用軸７５は、ケース４５に形成された円弧状の長孔４５ａ・４５ａを貫通して突設されるものであり、また、各制御弁６３・６３・６３からの作用軸７５を連杵６４で連結することで、長孔４５ａ・４５ａにより制御弁６３・６３・６３の角度調整の範囲が規制されるともに、連杵６４ａにより全ての制御弁６３・６３・６３が同時に角度調整される構成となっている。
また、連杵６４は、引張りバネ３３（図５）により制御弁６３・６３・６３を起てる方向（傾き角度を小さくする方向）へ付勢されているとともに、制御弁角度調整ワイヤ６５により引っ張られて、引張りバネ３３の弾性力に抗して右方向へ移動するように構成されている。
【００２９】
また、前記制御弁の立設面の傾き角度の制御は、ケース４５内の二番還元量の量に応じて行なわれるものである。尚、この角度調整の制御については後述するものとする。また、この二番還元量は、二番還元コンベア１４の終端に配する二番還元量センサ８３（図７）により検出可能とするものであるが、該センサの配置位置は特に限定されるものでなく、二番処理装置１０のケースに備える構成であってもよいものとする。
【００３０】
二番処理胴１１は、図６に示すごとく、駆動軸１６０より複数の枝梗処理羽根を突設して構成されるものである。この二番処理胴１１は、投入された二番物を、図６において左から右の方向へ搬送するものであり（機体正面視において左から右の方向）、枝梗除去が開始される側、即ち、ケース４５の投入口４１側を始端側とする一方、排出口４２側を終端側とするものである。前記枝梗処理羽根には、駆動軸１６０の軸方向に対し直交する面を形成する第一枝梗処理羽根４４ａ・４４ａ・・・と、駆動軸１６０の軸方向に対し平行の面を形成する第二枝梗処理羽根４４ｂ・４４ｂの二種類があり、これらは駆動軸１６０より側面視９０度間隔で突設した板体のステー４３・４３・・に着脱自在に固設されている。
第一枝梗処理羽根４４ａ・４４ａ・・・は、前記ツースバー５１・５１・・・とともに、その表面で二番物を擦るようにして籾に付着した枝梗を除去するものであり、第二枝梗処理羽根４４ｂ・４４ｂ・・・は、排出口４２まで送られた二番物を掻き揚げるようにして攪拌し、処理後の二番物を揉み解すことで、枝梗と籾とを分離して風選別の精度を向上させるものである。
【００３１】
また、図８のように、前記二番処理胴１１の終端部に、該二番処理胴１１と一体的に回転する拡散コンベア（スパイラ８１）を設けて、該拡散コンベア（スパイラ８１）を揺動選別装置３６の上方に位置するように配置して、これらをケース４５で覆い、二番物の排出口４２を揺動選別装置３６の上に対向して配置する構成とすることもできる。
本実施例では、上記拡散コンベアを、駆動軸１６０に、スパイラ８１を固設してなる構成としている。尚、スパイラ８１に限定するものではなく、回転を行なうことで同等の搬送機能を有する板体であればよいものである。
該構成により、スパイラ８１によって、枝梗処理後の二番物がケース４５内を搬送されるとともに、搬送過程において、ケース４５に開口した排出口４２より枝梗処理後の二番物が、揺動選別装置３６上の左右方向に拡散して排出されて広範囲にわたって落下することになり、揺動選別装置３６の左右方向における二番物の落下量の偏りを防ぐ、即ち、落下量の均一化を図ることができる。この均一化により、チャフシーブ５５（図３）からの一番物の漏下不良を防止し、選別ロスに伴う穀粒量の減少といった不具合を防ぐことができる。
また、このスパイラ８１による構成では、上述した枝梗処理羽根とは異なり、二番物の枝梗除去を行なうことなく搬送する（処理羽根が作用しない）ものであり、二番処理装置１０全体の延長に伴って籾の品質を劣化させてしまうという不具合が生じない。
【００３２】
また、図９に示すごとく、ケース４５を延設することなく、スパイラ８１のみの構成としてもよい。
本構成は、コンバインの揺動選別装置３６上方に配される二番処理装置１０であって、該二番処理装置１０に内装される二番処理胴１１の終端部に、該二番処理胴１１と一体的に回転する拡散コンベア（本実施例では、スパイラ８１）を設けるとともに、該拡散コンベアを揺動選別装置３６のフィード板（前フィード板５２）上面に近接して配する構成とするものである。
本構成では、上述した図８に示す構成とは異なり、ケース４５でスパイラ８１を覆わずに、スパイラ８１をフィード板（前フィード板５２）上にて露出して回転する構成とすることで、二番処理胴１１の回転駆動をスパイラ８１の回転に有効利用するとともに、該スパイラ８１によってフィード板上の堆積物を直接拡散することできるものである。
本構成は、「二番処理装置１０を備えるコンバインにおいては、二番処理装置１０の排出口より二番物が排出されるとともに、扱胴２０からも主流の漏下物が漏下するため、二番処理装置１０が配される側の選別板上に穀粒が二番物・漏下物が堆積しやすい」という問題点に鑑みた構成であり、スパイラ８１で堆積した二番物・漏下物を拡散させることにより、選別板状での二番物・漏下物の均一化を図るものである。この均一化により、チャフシーブ５５（図３）からの一番物の漏下不良が防止され、選別ロスに伴う穀粒量の減少といった不具合の発生を防ぐことができる。
【００３３】
次に、スクレーパー７４について説明する。
図６に示すごとく、前記二番処理胴１１の始端側には、ケース４５の内側壁面８０の近傍に、該内側壁面８０へ向けて屈曲させた攪拌羽根７４ｂ・７４ｂを有するスクレーパー７４が配設されている。該スクレーパー７４は、図６、図７及び図１０に示すごとく、複数枚のフィン７４ａ・７４ａより円盤状の板体を構成し、駆動軸１６０に固設されることで、駆動軸１６０の回転とともに回転するものである。そして、フィン７４ａ・７４ａの先端を図６における左方向、即ち、ケース４５の筒形状における二番処理胴１１の始端側の開口を塞ぐ内側壁面８０の方向に屈曲させて攪拌羽根７４ｂ・７４ｂを構成し、該攪拌羽根７４ｂ・７４ｂにより投入された二番物を攪拌するものである。
この攪拌により、ケース４５に投入された二番物を、二番処理胴１１の始端側において滞留させることなく、全ての二番物を均等に枝梗除去処理をかけることができるようになり、更には、ケース４５の内側壁面８０に付着しようとする二番物を掻き取る（刷き取る）ようにして、ケース４５の内側壁面８０二番物の付着が防がれる。
【００３４】
次に、二番処理装置１０への変速機構１５４について説明する。
図７及び図１１に示すごとく、二番還元コンベア１４のコンベア軸１４ａの前側終端に、ベベルギア１５１を配し、該ベベルギア１５１と動力入力軸１５０のべベルギア１５３を噛合させることで、二番還元コンベア１４の回転駆動を変速機構１５４（図１１）に入力する構成としている。
そして、二番処理胴１１は、変速機構１５４により回転数の増減を制御可能に構成されるものである。図１１に示すごとく、該変速機構１５４は、駆動入力部１５５と駆動出力部１５６とから構成し、両部を回転軸に左右一対の割プーリーを軸支する構成とするとともに、駆動入力部１５５では、一の割プーリーをコントローラにより制御されるアクチュエータ（本実施例では、油圧機構）の動作で軸方向に摺動可能とし、駆動出力部１５６では、一の割プーリーを弾性体で付勢しつつ軸方向に摺動可能とする構成とし、両部のプーリーを、駆動ベルト１５７で巻回するベルト式無段変速装置により変速可能とする構成である。
【００３５】
以下、変速機構１５４について詳述すると、先ず、駆動入力部１５５には、動力入力軸１５０に左右一対の割プーリー１５８ａ・１５８ｂを装着して構成されるものであり、一の割プーリー１５８ａは、動力入力軸１５０に対しスプライン嵌合によって摺動自在とするとともに、シリンダーケース１６１に摺動自在に枢着する構成している。このシリンダーケース１６１には、他の一の割プーリー１５８ｂ側に備えた油ケース１６２より、動力入力軸１５０に穿設された油路１６３を通して圧油が供給（排出）されるものであり、油圧よって割プーリー１５８ａを押圧する構成として、両割プーリー１５８ａ・１５８ｂにより駆動ベルト１５７を挟持する構成としている。
駆動出力部１５６は、駆動軸１６０に左右一対の割プーリー１５９ａ・１５９ｂを装着して構成されるものであり、一の割プーリー１５９ａは、駆動軸１６０に対しスプライン嵌合によって摺動自在とするとともに、駆動軸１６０に軸支されたスプリング１６４で一側へ付勢される構造とする一方、他の割プーリー１５９ｂを駆動軸１６０に固定する構造とすることで、両割プーリー１５９ａ・１５９ｂにより駆動ベルト１５７を挟持する構成としている。
以上の構成により、動力入力軸１５０の動力が、駆動軸１６０に伝達され、該駆動軸１６０の回転により、二番処理装置１０において前記処理羽根４４ａ・４４ｂによる枝梗除去処理が行なわれるものである。
【００３６】
また、上記変速機構１５４の構成により、駆動軸１６０の変速が行なえるものである。この駆動軸１６０の変速は、前記駆動入力部５６における割プーリー１５８ａの軸方向への摺動、即ち、シリンダーケース１６１への油の給排により行なわれるものである。このシリンダーケース１６１への圧油の給排は、後述する油圧給排制御電磁弁８５の動作により制御されるものである。
先ず、駆動軸１６０の増速を行なう場合であるが、駆動入力部１５５では、シリンダーケース１６１への圧油の供給により、割プーリー１５８ａが押し出されるようにして、割プーリー１５８ｂとの間隔が狭められ、駆動ベルト１５７を巻回する両割プーリー１５８ａ・１５８ｂの呼び径が大きくなり、駆動出力部１５６では、駆動ベルト１５７が駆動入力部１５５側へ引っ張られることから、割プーリー１５９ａがスプリング１６４の弾性力に抗して摺動し、割プーリー１５９ａ・１５９ｂの間隔が広げられ、駆動ベルト１５７を巻回する両割プーリー１５９ａ・１５９ｂの呼び径が小さくなる。このようにして、割プーリー１５９ａ・１５９ｂを取り付ける駆動軸１６０の回転数を増加させることができる。
一方、駆動軸１６０の減速を行なう場合は、増速の逆の動作、即ち、駆動入力部１５５では、シリンダーケース１６１からの圧油の排出を行なうことで、駆動ベルト１５７を巻回する割プーリー１５８ａ・１５８ｂの呼び径が小さくなり、これに伴ってスプリング１６４の弾性力により駆動ベルト１５７を巻回する割プーリー１５９ａ・１５９ｂの呼び径が大きくなる。このようにして、割プーリー１５９ａ・１５９ｂを取り付ける駆動軸１６０の回転数を減少させることができる。
以上のような油圧制御により、駆動軸１６０の変速を行なうものである。また、この駆動軸１６０の回転数は、二番処理胴回転速度センサ８４により検出可能としており、回転数が常時モニターされている。尚、該回転数の増減は、上記二番還元量に応じて制御されるものであり、この制御については後述するものとする。
【００３７】
次に、二番還元量に応じて行なう二番処理装置１０の制御について説明する。
この制御は、図１２の制御機器のブロック図、図１３の制御に関わる装置の構成図に示される構成により行なわれるものである。
図１２及び図１３に示すごとく、二番還元量を算出するに当たり必要な値を検出する手段として、チャフシーブ５５の上方（図３）に備えられ扱胴２０での脱穀後の穀粒量を検出する選別流量センサ７２、脱穀後の藁の流量を検出する排藁流量センサ８２、二番還元コンベア１４における二番還元物の搬送量を検出する二番還元量センサ８３が備えられている。また、二番処理装置１０の駆動軸１６０の回転数を検出する二番処理胴回転速度センサ８４が備えられている。
そして、これらのセンサの検出結果をコントローラ８６に入力し、コントローラ８６が各センサの検出結果を元に、二番処理装置１０に還元される二番還元量を算出する。この二番還元量の算出においては、複数のセンサの検出結果をパラメータとして使用して算出する方法、例えば、二番還元センサ８３による検出結果を基準値として、他のセンサの検出結果を補正値として用いて行なう方法や、特定の一のセンサの検出結果を元にして算出する方法、例えば、選別流量センサ７２の検出値を二番還元量とみなす方法、といったように、いずれの方法でもよく、特に、限定されるものではない。
尚、本明細書中の記載において、「二番還元量」は、直接的には、二番処理装置１０のケース４５に実際に投入された二番物の量をいうものであるが、上述した、選別流量センサ７２の検出値を二番還元量とみなす方法も可能であり、広くコンバインが処理を行なう「処理量」を含めた概念をいうものである。
【００３８】
また、コントローラ８６は、二番還元量の算出結果を元に、油圧給排制御電磁弁８５、制御弁角度調整モータ８８、チャフ開度調整モータ３９、前記ファンシャッタ開度調整モータ４０の動作制御を行なうものである。この油圧給排制御電磁弁８５は、油圧回路の制御により二番処理胴１１の回転数の制御を行なうものであり、制御弁角度調整モータ８８は、二番処理装置１０に備える連杵６４に接続した制御弁角度調整ワイヤ６５を操作して、連杵６４の運動により制御弁６３・６３・６３の角度を調整するものである。
【００３９】
尚、図１３に示すごとく、チャフ開度調整モータ３９の調整での開度調整機構５８によるチャフシーブ５５の開度の調整や、前記ファンシャッタ開度調整モータ４０の調整でのシャッター３７の動作による唐箕２５等の風量の調整により、二番還元量の増減を変更可能としており、上記油圧給排制御電磁弁８５、制御弁角度調整モータ８８による制御と同時に実行可能とするものである。
さらに、図１３に示すごとく、チャフ開度調整モータ３９、ファンシャッタ開度調整モータ４０を備える構成の他、排藁チェン６７の下部に備えるガイド６０の上下動をワイヤ７０・７１を介して、ワイヤ７０・７１の引張りにより、チャフシーブ５５やシャッター３７の開閉を行なう構成としても良い。
【００４０】
以下二番処理装置１０に係る制御の詳細について説明する。
まず、二番処理胴１１の回転数の制御について説明する。
この制御は、前記二番還元量センサ８３による二番還元量の検出等、各種センサの検出結果に基づいてコントローラ８６が二番還元量を算出し、変速機構１５４の変速動作をさせることにより行なうものである。即ち、図１３に示される構成で、コントローラ８６は、二番還元量に応じた二番処理胴１１の回転数の目標値を設定し、二番処理胴回転速度センサ８４による回転数の検出結果をモニターしながら、前記油圧給排制御電磁弁８５をコントロールして、変速機構１５４への油の給排を行ない、二番処理胴１１の回転数を目標値に到達させるものである。
この目標値の設定において、二番還元量が多い場合には、高い回転数となる目標値を設定して、変速機構１５４の無段変速装置を高速側に変速することで、二番処理胴１１の回転数を増加させ多量の二番物の枝梗除去処理を確実に行なうものである。
一方、二番還元量が少ない場合には、低い回転数となる目標値を設置することで、二番処理胴１１の回転数を減少させ、二番物に含まれる籾を傷つけることなく、確実に二番物の枝梗除去を行なうものである。
以上のようにして、二番還元量に応じた二番処理胴１１の回転数の制御を行なうものである。
【００４１】
次に、制御弁６３・６３・６３の傾き角度制御について説明する。
この制御弁６３・６３・６３の傾き角度制御は、制御弁角度調整モータ８８の動作により、連杵６４を制御弁角度調整ワイヤ６５で移動させることで行なわれるものである。即ち、図１３に示す構成で、前記制御弁６３・６３・６３（図５）は、アクチュエータとしての制御弁角度調整モータ８８により、二番還元量に応じて傾き角度を調整可能に構成したものであり、前記角度調整機構は、制御弁６３・６３・６３の作用軸を連杵で接続するとともに、該連杵と制御弁角度調整モータ８８とを制御弁角度調整ワイヤ６５で接続してなるものである。
この制御では、前記二番還元量センサ８３による二番還元量の検出等、各種センサの検出結果に基づいたコントローラ８６による二番還元量の算出により行なわれるものである。
そして、コントローラ８６が、算出結果に応じた制御弁６３・６３・６３の傾き角度を決定するとともに、該決定結果に応じて制御弁角度調整モータ８８を動作させ、制御弁角度調整ワイヤ６５を張る又は緩めることにより制御弁６３・６３・６３の傾き角度を調整するものである。
【００４２】
この制御弁６３・６３・６３の傾き角度の決定においては、各種パラメータ設定による計算式に基づくものとし、複数のセンサの検出結果を元に演算することにより行なうものである。
この傾き角度の決定の基準としては、二番還元量が多い場合には、二番コンベア２３へ回収される二番物の量が多くなり、二番処理装置１０への二番物の還元量が増加することから、制御弁６３・６３・６３の傾き角度を大きくする制御、即ち、制御弁角度調整ワイヤ６５の引張り量を多くして、二番物の送り速度を大きくすることで、二番処理装置１０への多量な二番物の還元に対してもオーバーフローをすることなく、上述した二番処理胴１１の回転数の増加と相まって、確実な枝梗除去処理を可能とするものである。
一方、二番還元量が少ない場合には、制御弁６３・６３・６３の傾き角度を小さくする制御、即ち、制御弁角度調整ワイヤ６５の引張り量を少なくし、二番物の送り速度を小さくすることで、上述した二番処理胴１１の回転数の減少と相まって、二番物を傷つけることのない丁寧な枝梗除去処理を可能とするものである。
以上のようにして、二番還元量に応じた制御弁６３・６３・６３の角度調整の制御を行なうものである。
【００４３】
【発明の効果】
本発明は以上のごとく構成したので、次のような効果を奏するのである。
請求項１に記載のごとく、選別後の二番物の枝梗除去処理を行なうコンバインの二番処理装置１０であって、該二番処理装置１０は、ケース４５内に、扱胴と直交する二番処理胴１１を回転駆動可能に軸支してなる構成とし、二番コンベア２３の他端部より、二番還元コンベア１４を駆動し、該二番還元コンベア１４の他端は二番処理装置１０へ連通されるとともに、二番還元コンベア１４のコンベア軸１４ａの動力を、変速機構１５４を介して二番処理装置１０へ伝達する構成とし、該変速機構１５４は、駆動入力部１５５と駆動出力部１５６とから構成し、両部は回転軸に左右一対の割プーリーを軸支する構成とすると共に、駆動ベルト１５７を巻回するベルト式無段変速装置により構成し、該二番処理胴１１の回転数を変更可能に構成したので、二番還元処理胴の回転数が二番還元量の変動に応じた制御を行なうことが可能となり、二番物の枝梗除去処理を適切に行なうことができる。
【００４４】
請求項２に記載のごとく、前記変速機構１５４による回転数は、前記ケース４５内に投入される二番物の量に応じて制御すべく構成したので、二番還元処理胴の回転数が二番還元量の変動に応じて制御され、二番物の枝梗除去処理を適切に行なうことができ、扱き残しを減少して選別効率を向上することができる。
【００４５】
請求項３に記載のごとく、前記二番処理胴１１は、その始端側に投入された二番物を攪拌するスクレーパー７４を具備したので、ケースに投入された二番物を、二番処理胴の始端側において滞留させることなく、全ての二番物を均等に枝梗除去処理をかけることができる。
更には、ケースの内側壁面に付着しようとする二番物を掻き取る（刷き取る）ようにして、ケースの内側壁面への二番物の付着を防ぐことができる。
【００４８】
請求項４に記載のごとく、前記二番処理胴１１の終端側に、該二番処理胴１１と一体的に回転する拡散コンベアであるスパイラ８１を具備したので、枝梗処理後の二番物がケース内を搬送されるとともに、搬送過程において、ケースに開口した排出口より枝梗処理後の二番物が随時排出されることから、揺動選別装置の左右方向における広範囲にわたって落下することになり、揺動選別装置の左右方向における二番物の落下量の偏りを防ぐことができる。即ち、揺動選別装置の選別板上での二番物・漏下物の均一化が図られ、この均一化により、チャフシーブからの一番物の漏下不良を防止し、選別ロスに伴う穀粒量の減少といった不具合を防ぐことができる。
【図面の簡単な説明】
【図１】  コンバインの全体側面図である。
【図２】  同じく平面図である。
【図３】  選別装置の構成を示す側面図である。
【図４】  選別装置の動力伝達構成の一実施例を示すスケルトン図である。
【図５】  二番処理装置の構成を示す正面図である。
【図６】  同じく内部構成を示す正面図である。
【図７】  同じく右側面図である。
【図８】  拡散コンベアを備えた構成の二番処理装置の正面図である。
【図９】  同じく拡散コンベアを備える構成の二番処理装置の他の実施例を示す正面図である。
【図１０】  スクレーパーの構成を示す斜視図である。
【図１１】  変速機構の構成を示す正面断面図である。
【図１２】  制御機器のブロック図である。
【図１３】  制御に関わる装置の構成図である。
【符号の説明】
１０    二番処理装置
１１    二番処理胴
４５    ケース
６３    制御弁
【図１】
0003814210.tif 000002
【図２】
0003814210.tif 000003
【図３】
0003814210.tif 000004
【図４】
0003814210.tif 000005
【図５】
0003814210.tif 000006
【図６】
0003814210.tif 000007
【図７】
0003814210.tif 000008
【図８】
0003814210.tif 000009
【図９】
0003814210.tif 000010
【図１０】
0003814210.tif 000011
【図１１】
0003814210.tif 000012
【図１２】
0003814210.tif 000013
【図１３】
0003814210.tif 000014